(57)【要約】      （修正有）【課題】複数の映像撮像機器でそれぞれ撮像された映像を同一のタイミングで画面表示させることができる映像表示機器を適用し、これら複数の機器相互で複数通話を行うにあたり、通話相手先として選択した機器を除く他の機器からの出力音声の音圧レベルを抑圧する。【解決手段】外部通信端末３ａの端末アプリケーション３４ａは、玄関子機１の子機アプリケーション１３を経由して送信されてくる子機撮像部１２で生成された子機映像データや、居室親機２ａの親機アプリケーション２４ａを経由して送信されてくる親機撮像部２３ａで生成された親機映像データを、端末表示部３１ａの画面上に同一のタイミングで表示させるばかりでなく、これら複数の機器相互で画面表示を確認しながらの複数通話を行うにあたり端末アプリケーションによれば、通話相手先として選択した機器を除く他の機器からの出力音声の音圧レベルを抑圧する。【選択図】図１
2015171056.tif 000002
【特許請求の範囲】
【請求項１】
住戸外に設置され通話機能を有する玄関子機と、住戸内に設置され通話機能を有する居室親機と、前記玄関子機及び前記居室親機のうち少なくとも１の機器との間で通信が可能な外部通信端末とを有するインターホンシステムであって、
前記玄関子機は、通話成立時に音声データを送受信する子機通話部と、前記住戸外の映像を撮像して子機映像データを生成する子機撮像部と、前記子機撮像部で生成された子機映像データを前記居室親機及び自子機に登録された当該外部通信端末のうち少なくとも１の機器に送信する子機アプリケーションとを備え、
前記居室親機は、通話成立時に音声データを送受信して複数通話が可能な親機通話部と、前記住戸内の映像を撮像して親機映像データを生成する親機撮像部と、前記玄関子機の前記子機撮像部で生成された前記子機映像データと前記親機撮像部で生成された親機映像データを自親機に登録された当該外部通信端末に送信する機能を有する親機アプリケーションとを備え、
前記外部通信端末は、通話成立時に音声データを送受信して複数通話が可能な端末通話部と、前記玄関子機の前記子機アプリケーションを経由して送信されてくる前記子機映像データと前記居室親機の前記親機アプリケーションを経由して送信されてくる前記親機映像データを受信して端末表示部に表示する端末アプリケーションとを備え、
前記外部通信端末の前記端末アプリケーションは、前記複数通話の成立時で前記端末表示部に複数の映像データが表示されているときに通話相手先を選択する選択機能と、前記選択機能により選択された少なくとも１の通話相手先を除く全ての機器の当該通話部から送信されてくる音声データのデータ処理を行い出力音声の音圧レベルを抑圧する機能とを有することを特徴とするインターホンシステム。
【請求項２】
住戸外に設置され通話機能を有する監視カメラと、住戸内に設置され通話機能を有する居室親機と、前記監視カメラ及び前記居室親機のうち少なくとも１の機器との間で通信が可能な外部通信端末とを有するインターホンシステムであって、
前記監視カメラは、通話成立時に音声データを送受信するカメラ通話部と、前記住戸外の監視映像を撮像してカメラ映像データを生成するカメラ撮像部と、前記カメラ撮像部で生成されたカメラ映像データを前記居室親機及び自カメラに登録された当該外部通信端末のうち少なくとも１の機器に送信するカメラアプリケーションとを備え、
前記居室親機は、通話成立時に音声データを送受信して複数通話が可能な親機通話部と、前記住戸内の映像を撮像して親機映像データを生成する親機撮像部と、前記監視カメラの前記カメラ撮像部で生成された前記カメラ映像データと前記親機撮像部で生成された前記親機映像データを自親機に登録された当該外部通信端末に送信する機能を有する親機アプリケーションとを備え、
前記外部通信端末は、通話成立時に音声データを送受信して複数通話が可能な端末通話部と、前記監視カメラの前記カメラアプリケーションを経由して送信されてくる前記カメラ映像データと前記居室親機の前記親機アプリケーションを経由して送信されてくる前記親機映像データを受信して端末表示部に表示する端末アプリケーションとを備え、
前記外部通信端末の前記端末アプリケーションは、前記複数通話の成立時で前記端末表示部に複数の映像データが表示されているときに通話相手先を選択する選択機能と、前記選択機能により選択された少なくとも１の通話相手先を除く全ての機器の当該通話部から送信されてくる音声データのデータ処理を行い出力音声の音圧レベルを抑圧する機能とを有することを特徴とするインターホンシステム。
【請求項３】
前記外部通信端末の前記端末アプリケーションは、前記抑圧する前記出力音声の音圧レベルを０とすることを特徴とする請求項１又は請求項２記載のインターホンシステム。
【発明の詳細な説明】
【技術分野】
【０００１】
本発明はインターホンシステムに係り、特に、複数の機器でそれぞれ撮像された映像を確認しながら当該複数の機器相互で複数通話を行うことができるインターホンシステムに関する。
【背景技術】
【０００２】
従来から、この種のインターホンシステムとして、住戸外の映像撮像機器、例えば、玄関子機のカメラや監視カメラでそれぞれ映像を撮像するにあたり、これら撮像された映像は、携帯電話等の外部情報端末において撮像機器毎に単独で表示することができる（例えば、特許文献１を参照）。
【先行技術文献】
【特許文献】
【０００３】
【特許文献１】特開２０１３−２０７６４５号公報
【発明の概要】
【発明が解決しようとする課題】
【０００４】
しかしながら、背景技術に記載のインターホンシステムによれば、玄関子機のカメラや監視カメラでそれぞれ撮像された映像を、携帯電話等の外部情報端末において同一のタイミングで画面表示することができなかった。
【０００５】
本発明は、この難点を解消するためになされたものであって、複数の映像撮像機器でそれぞれ撮像された映像を同一のタイミングで画面表示させることができる映像表示機器を適用し、これら複数の機器相互で複数通話を行うにあたり、通話相手先として選択した機器を除く他の機器からの出力音声の音圧レベルを抑圧することができるインターホンシステムを提供することを目的としている。
【課題を解決するための手段】
【０００６】
前述の目的を達成するため、本発明の第１の態様であるインターホンシステムは、住戸外に設置され通話機能を有する玄関子機と、住戸内に設置され通話機能を有する居室親機と、玄関子機及び居室親機のうち少なくとも１の機器との間で通信が可能な外部通信端末とを有している。玄関子機は、通話成立時に音声データを送受信する子機通話部と、住戸外の映像を撮像して子機映像データを生成する子機撮像部と、子機撮像部で生成された子機映像データを居室親機御及び自子機に登録された当該外部通信端末のうち少なくとも１の機器に送信する子機アプリケーションとを備えている。居室親機は、通話成立時に音声データを送受信して複数通話が可能な親機通話部と、住戸内の映像を撮像して親機映像データを生成する親機撮像部と、玄関子機の子機撮像部で生成された子機映像データと親機撮像部で生成された親機映像データを自親機に登録された当該外部通信端末に送信する機能を有する親機アプリケーションとを備えている。外部通信端末は、通話成立時に音声データを送受信して複数通話が可能な端末通話部と、玄関子機の子機アプリケーションを経由して送信されてくる子機映像データと居室親機の親機アプリケーションを経由して送信されてくる親機映像データを受信して端末表示部に表示する端末アプリケーションとを備えている。外部通信端末の端末アプリケーションは、複数通話の成立時で端末表示部に複数の映像データが表示されているときに通話相手先を選択する選択機能と、選択機能により選択された少なくとも１の通話相手先を除く全ての機器の当該通話部から送信されてくる音声データのデータ処理を行い出力音声の音圧レベルを抑圧する機能とを有している。  この態様のインターホンシステムによれば、外部通信端末の端末アプリケーションは、玄関子機の子機アプリケーションを経由して送信されてくる子機撮像部で生成された子機映像データや、居室親機の親機アプリケーションを経由して送信されてくる親機撮像部で生成された親機映像データを、端末表示部の画面上に同一のタイミングで表示させることができるばかりでなく、これら複数の機器相互で複数通話を行うにあたり端末アプリケーションによれば、画面表示を確認しながら通話相手先として選択した機器を除く他の機器からの出力音声の音圧レベルを抑圧することができる。
【０００７】
また、本発明の第２の態様であるインターホンシステムは、住戸外に設置され通話機能を有する監視カメラと、住戸内に設置され通話機能を有する居室親機と、監視カメラ及び居室親機のうち少なくとも１の機器との間で通信が可能な外部通信端末とを有している。監視カメラは、通話成立時に音声データを送受信するカメラ通話部と、住戸外の監視映像を撮像してカメラ映像データを生成するカメラ撮像部と、カメラ撮像部で生成されたカメラ映像データを居室親機及び自カメラに登録された当該外部通信端末のうち少なくとも１の機器に送信するカメラアプリケーションとを備えている。居室親機は、通話成立時に音声データを送受信して複数通話が可能な親機通話部と、住戸内の映像を撮像して親機映像データを生成する親機撮像部と、監視カメラのカメラ撮像部で生成されたカメラ映像データと親機撮像部で生成された親機映像データを自親機に登録された当該外部通信端末に送信する機能を有する親機アプリケーションとを備えている。外部通信端末は、通話成立時に音声データを送受信して複数通話が可能な端末通話部と、監視カメラのカメラアプリケーションを経由して送信されてくるカメラ映像データと居室親機の親機アプリケーションを経由して送信されてくる親機映像データを受信して端末表示部に表示する端末アプリケーションとを備えている。外部通信端末の端末アプリケーションは、複数通話の成立時で端末表示部に複数の映像データが表示されているときに通話相手先を選択する選択機能と、選択機能により選択された少なくとも１の通話相手先を除く全ての機器の当該通話部から送信されてくる音声データのデータ処理を行い出力音声の音圧レベルを抑圧する機能とを有している。
【０００８】
この態様のインターホンシステムによれば、外部通信端末の端末アプリケーションは、監視カメラのカメラアプリケーションを経由して送信されてくるカメラ撮像部で生成されたカメラ映像データや、居室親機の親機アプリケーションを経由して送信されてくる親機撮像部で生成された親機映像データを、端末表示部の画面上に同一のタイミングで表示させることができるばかりでなく、これら複数の機器相互で複数通話を行うにあたり端末アプリケーションによれば、画面表示を確認しながら通話相手先として選択した機器を除く他の機器からの出力音声の音圧レベルを抑圧することができる。
【０００９】
また、本発明の第３の態様であるインターホンシステムは、本発明の第１の態様又は第２の態様において、外部通信端末の端末アプリケーションは、抑圧する出力音声の音圧レベルを０とするものである。
【００１０】
この態様のインターホンシステムによれば、複数の機器相互、例えば、玄関子機、居室親機及び外部通信端末の機器相互や、監視カメラ、居室親機及び外部通信端末の機器相互において複数通話を行うにあたり、外部通信端末の端末アプリケーションは、画面表示を確認しながら通話相手先として選択した機器を除く他の機器からの出力音声の音圧レベルを抑圧、例えば、０Ｖにすることができる。
【発明の効果】
【００１１】
本発明のインターホンシステムによれば、複数の映像撮像機器として、玄関子機の子機撮像部や居室親機の親機撮像部でそれぞれ生成された映像データを外部通信端末の端末表示部の画面上に同一のタイミングで表示させることができるばかりでなく、これら複数の機器相互で画面表示を確認しながらの複数通話を行うにあたり、外部通信端末は、通話相手先として選択した機器を除く他の機器からの出力音声の音圧レベルを抑圧、例えば、０Ｖにすることができる。
【００１２】
また、本発明のインターホンシステムによれば、複数の映像撮像機器として、監視カメラのカメラ撮像部や居室親機の親機撮像部で生成された映像データを外部通信端末の端末表示部の画面上に同一のタイミングで表示させることができるばかりでなく、これら複数の機器相互で画面表示を確認しながらの複数通話を行うにあたり、外部通信端末によれば、通話相手先として選択した機器を除く他の機器からの出力音声の音圧レベルを抑圧、例えば、０Ｖにすることができる。
【図面の簡単な説明】
【００１３】
【図１】本発明の第１の実施例によるインターホンシステムの具体的な構成を示すブロック図。
【図２】本発明の第１の実施例によるインターホンシステムにおいて、（Ａ）居室親機の親機表示部の画面表示例、（Ｂ）外部通信端末の端末表示部の画面表示例をそれぞれ示す画面構成図。
【図３】本発明の第２の実施例によるインターホンシステムの具体的な構成を示すブロック図。
【図４】本発明の第２の実施例によるインターホンシステムにおいて、（Ａ）居室親機の親機表示部の画面表示例、（Ｂ）外部通信端末の端末表示部の画面表示例をそれぞれ示す画面構成図。
【発明を実施するための形態】
【００１４】
以下、本発明のインターホンシステムを適用した実施の形態例について、図面を参照して説明する。
〔第１の実施例〕
図１は、本発明の第１の実施例によるインターホンシステムの具体的な構成を示すブロック図である。このインターホンシステムは、住戸外、例えば、住戸玄関の周囲近傍に設置され来訪者が住戸内の居住者（以下、在室者という）を呼出し、この在室者（住戸内を不在中であって後述の外部通信端末３ａを携行している居住者（以下、外出者という）を含む）との間で通話を行う玄関子機１と、住戸内に設置され、来訪者からの呼出しに応答した在室者が通話を行うばかりなく、この在室者が外出者との間で通話を行うことができる居室親機（以下、第１の居室親機という）２ａと、外出者により携行され、来訪者からの呼出しに応答した外出者が通話を行うばかりでなく、この外出者が在室者との間で通話を行うことができる例えば、スマートフォンや携帯電話等の外部通信端末（以下、第１の外部通信端末という）３ａとを有しており、当該第１の実施例において、玄関子機１及び第１の居室親機２ａ間は、子機／親機ラインＬ1を経由して接続され、第１の居室親機２ａ及び第１の外部通信端末３ａ間は、スマートフォンや携帯電話等用の通信サービスを提供している通信事業者の専用通信網として用いられる汎用ネットワークＮＴで接続されている。
【００１５】
同図に示す玄関子機１には、子機操作部１０、子機通話部１１、子機撮像部１２、子機アプリケーション（以下、子機アプリという）１３、子機制御部１４及び子機インターフェース（以下、子機Ｉ／Ｆという）１５が備えられている。
【００１６】
この玄関子機１において、子機操作部１０は、来訪者が在室者を呼出すために所定の呼出操作を行うものであって例えば、呼出（押圧）ボタンで構成されている。また、子機通話部１１は、来訪者が在室者や外出者との間で通話を行うための音声（送話音声、受話音声）データを入出力するものであって例えば、マイク（ＭＩＣ）及びスピーカ（ＳＰ）が備えられている。また、子機撮像部１２は、来訪者の映像や住戸外（住戸玄関）の映像を撮像して子機映像データを生成するものであって例えば、ＣＣＤ、ＣＭＯＳ等の各種の映像撮像媒体で構成されている。なお、子機撮像部１２によれば、例えば、不図示の人体感知センサ等が有する人体感知機能に連動させて、住戸（住戸玄関）の周囲近傍に人体の存在が感知されたときに、その動作を能動として子機映像データを生成することもできる。
【００１７】
子機アプリ１３は、通話成立時において子機通話部１１のマイク（ＭＩＣ）に入力された音声（送話音声）データについて所定のデータ処理、例えば、ＦＭ変調や音圧レベルの調整（信号増幅）を行うとともにスピーカ（ＳＰ）から出力させる音声（受話音声）データについて所定のデータ処理、例えば、ＦＭ復調や音圧レベルの調整（信号増幅）を行うことができるばかりでなく、子機撮像部１２で生成された子機映像データについて所定のデータ処理、例えば、ＦＭ変調や信号増幅を行うことができる。なお、子機アプリ１３によれば、前述のようにデータ処理を行う各種データや後述する子機制御部１４で送受信される制御データ、例えば、子機呼出データ等についての通信相手先として、第１の居室親機２ａを指定／選択する機能や、同図に破線で示すように、予め登録した、汎用ネットワークＮＴを経由して接続される第１の外部通信端末３ａを指定／選択する機能が備えられている。
【００１８】
子機制御部１４は、当該玄関子機の構成各部を制御するものである。また、子機Ｉ／Ｆ１５は、子機制御部１４及び子機／親機ラインＬ1間のデータ伝送路を形成するばかりでなく、子機アプリ１３が有する前述の機能に対応させて、子機制御部１４及び汎用ネットワークＮＴ間のデータ伝送路を形成することもできる。
【００１９】
次に、同図に示す第１の居室親機２ａには、親機操作部２０ａ、親機表示部２１ａ、親機通話部２２ａ、親機撮像部２３ａ、親機アプリケーション（以下、親機アプリという）２４ａ、親機制御部２５ａ、子機側親機インターフェース（以下、子機側親機Ｉ／Ｆという）２６ａ及びネットワーク側親機インターフェース（以下、ネットワーク側親機Ｉ／Ｆという）２７ａが備えられている。
【００２０】
この居室親機２ａにおいて、親機操作部２０ａは、在室者が来訪者からの呼出しに応答して通話を成立させるための所定の応答操作や、玄関子機１の子機撮像部１２や第１の外部通信端末３ａの後述する端末撮像部３３ａの動作、例えば、起動（モニタ起動）のみならずパン・チルトやズームを制御するための所定の操作や、通話成立時においてその通話相手先として単一人から複数人の通話（複数通話）、ここでは、２者通話又は３者通話に切換えるための所定の切換操作や、複数通話時において通話相手先を選択するための所定の選択操作等を行うものであって例えば、前述の操作機能に対応させた押圧ボタンや親機表示部２１ａの前面に配置されたタッチパネル上の操作ボタンが好適とされる。
【００２１】
親機表示部２１ａは、玄関子機１の子機撮像部１２で生成された子機映像データや第１の外部通信端末３ａの後述する端末撮像部３３ａで生成された端末映像データを所定のフォーマットで表示するものであって例えば、ＬＣＤ、有機ＥＬディスプレイ等の各種の表示媒体で構成されている。なお、親機表示部２１ａによれば、前述の映像表示のみならず、自親機２ａの動作状態、例えば、モニタ中、呼出中、通話（２者通話又は３者通話）中であることをそれぞれ文字表示できる。
【００２２】
親機通話部２２ａは、在室者が来訪者や外出者との間で通話を行うための音声（送話音声、受話音声）データを入出力するものであって例えば、マイク（ＭＩＣ）及びスピーカ（ＳＰ）が備えられており、このスピーカ（ＳＰ）は、自親機２ａの動作状態、例えば、呼出中であることを音響出力で報知できる。また、親機撮像部２３ａは、在室者の映像や住戸内の映像を撮像して親機映像データを生成するものであって例えば、ＣＣＤ、ＣＭＯＳ等の各種の映像撮像媒体で構成されている。
【００２３】
親機アプリ２４ａは、親機表示部２１ａに表示する子機映像データや端末映像データについて所定のデータ処理、例えば、信号増幅やＦＭ復調、その後のフォーマット処理を行うことができるばかりでなく、通話成立時において親機通話部２２ａのマイク（ＭＩＣ）に入力された音声（送話音声）データについて所定のデータ処理、例えば、ＦＭ変調や音圧レベルの調整（信号増幅）を行うとともにスピーカ（ＳＰ）から出力させる音声データについて所定のデータ処理、例えば、ＦＭ復調や音圧レベルの調整（信号増幅）を行うことができる、また、親機アプリ２４ａは、親機撮像部２３ａで生成された親機映像データについて所定のデータ処理、例えば、ＦＭ変調や信号増幅を行うこともできる。さらに、親機アプリ２４ａによれば、前述のようにデータ処理を行う各種データや後述する親機制御部２５ａで送受信される制御データについての通信相手先として、予め登録した第１の外部通信端末３ａを指定／選択する機能が備えられている。
【００２４】
親機制御部２５ａは、当該居室親機の構成各部を制御するものである。また、子機側親機Ｉ／Ｆ２６ａは、親機制御部２５ａ及び子機／親機ラインＬ1間のデータ伝送路を形成するものである。さらに、ネットワーク側親機Ｉ／Ｆ２７ａは、親機制御部２５ａ及び汎用ネットワークＮＴ間のデータ伝送路を形成するものである。
【００２５】
次に、同図に示す第１の外部通信端末３ａには、端末操作部３０ａ、端末表示部３１ａ、端末通話部３２ａ、端末撮像部３３ａ、端末アプリケーション（以下、端末アプリという）３４ａ、端末制御部３５ａ及び端末インターフェース（以下、端末Ｉ／Ｆという）３６ａが備えられている。
【００２６】
この外部通信端末３ａにおいて、端末操作部３０ａは、外出者が来訪者からの呼出しに応答して通話を成立させるための所定の応答操作や、玄関子機１の子機撮像部１２や第１の居室親機２ａの親機撮像部２３ａの動作、例えば、起動（モニタ起動）のみならずパン・チルトやズームを制御するための所定の操作や、通話成立時においてその通話相手先として単一人から複数人間の通話（複数通話）、ここでは、２者通話又は３者通話に切換えるための所定の切換操作や、複数通話時において通話相手先を選択するための所定の選択操作等を行うものであって例えば、前述の操作機能に対応させた押圧ボタンや端末表示部３１ａの前面に配置されたタッチパネル上の操作ボタンが好適とされる。
【００２７】
端末表示部３１ａは、玄関子機１の子機撮像部１で生成された子機映像データや第１の居室親機２ａの親機撮像部２３ａで生成された親機映像データを所定のフォーマットで表示するものであって例えば、ＬＣＤ、有機ＥＬディスプレイ等の各種の表示媒体で構成されている。なお、端末表示部３１ａによれば、前述の映像表示のみならず、自端末３ａの動作状態、例えば、モニタ中、呼出中、通話（２者通話又は３者通話）中であることをそれぞれ文字表示できる。
【００２８】
端末通話部３２ａは、外出者が来訪者や在室者との間で通話を行うための音声（送話音声、受話音声）データを入出力するものであって例えば、マイク（ＭＩＣ）及びスピーカ（ＳＰ）が備えられており、このスピーカ（ＳＰ）は、自端末３ａの動作状態、例えば、呼出中であることを音響出力で報知できる。また、端末撮像部３３ａは、外出者の映像や外出先の映像を撮像して端末映像データを生成するものであって例えば、ＣＣＤ、ＣＭＯＳ等の各種の映像撮像媒体で構成されている。
【００２９】
端末アプリ３４ａは、端末表示部３１ａに表示する子機映像データや親機映像データについて所定のデータ処理、例えば、信号増幅やＦＭ復調、その後のフォーマット処理を行うことができるばかりでなく、通話成立時において端末通話部３２ａのマイク（ＭＩＣ）に入力された音声（送話音声）データについて所定のデータ処理、例えば、ＦＭ変調や音圧レベルの調整（信号増幅）を行うとともにスピーカ（ＳＰ）から出力させる音声データについて所定のデータ処理、例えば、ＦＭ復調や音圧レベルの調整（信号増幅）を行うことができる、また、端末アプリ３４ａは、端末撮像部３３ａで生成された端末映像データについて所定のデータ処理、例えば、ＦＭ変調や信号増幅を行うこともできる。さらに、端末アプリ３４ａによれば、前述のようにデータ処理を行う各種データや後述する端末制御部３５ａで送受信される制御データについての通信相手先として、予め登録した第１の居室親機２ａを指定／選択する機能や、同図に破線で示すように、予め登録した、汎用ネットワークＮＴを経由して接続される玄関子機１を指定／選択する機能が備えられている。
【００３０】
端末制御部３５ａは、当該外部通信端末の構成各部を制御するものである。また、端末Ｉ／Ｆ３６ａは、端末制御部３５ａ及び汎用ネットワークＮＴ間のデータ伝送路を形成するものである。
【００３１】
このように構成された本発明の第１の実施例によるインターホンシステムにおいて、以下、具体的な動作について説明する。
【００３２】
図１に示す当該システムが例えば、待受状態において、在室者が第１の居室親機２ａの親機操作部２０ａを用いて所定の起動（モニタ起動）操作を行うと、この操作を検出した親機制御部２５ａは、親機表示部２１ａを画面表示可能な状態に制御するとともに、玄関子機１の子機撮像部１２の動作を開始させるための子機撮像用親機送信データと、第１の外部通信端末３ａの端末撮像部３３ａの動作を開始させるための端末撮像用親機送信データとをそれぞれ生成する。また、親機制御部２５ａで生成された子機撮像用親機送信データは、子機側親機Ｉ／Ｆ２６ａ、子機／親機ラインＬ1、玄関子機１の子機Ｉ／Ｆ１５を経由して子機制御部１４に送信される。さらに、親機制御部２５ａで生成された端末撮像用親機送信データは、親機アプリ２４ａに予め登録されている第１の外部通信端末３ａを指定／選択する例えば、ＩＰアドレスが付加された後、ネットワーク側親機Ｉ／Ｆ２７ａから汎用ネットワークＮＴに送信されることで、この端末撮像用親機送信データは、前述のＩＰアドレスが一致する第１の外部通信端末３ａの端末Ｉ／Ｆ３６ａを経由して端末制御部３５ａで受信される。
【００３３】
玄関子機１の子機制御部１４は、第１の居室親機２ａからの子機撮像用親機送信データを受信すると、子機撮像部１２の動作を開始させ、この子機撮像部１２で生成された住戸外（住戸玄関）の子機映像データについて子機アプリ１３で所定のデータ処理、例えば、ＦＭ変調や信号増幅を行った後、前述の子機撮像用親機送信データのデータ伝送路と逆の当該伝送路を経由して第１の居室親機２ａの親機制御部２５ａに送信する。
【００３４】
第１の外部通信端末３ａの端末制御部３５ａは、第１の居室親機２ａからの端末撮像用親機送信データを受信すると、端末撮像部３３ａの動作を開始させ、この端末撮像部３３ａで生成された外出者の映像（外出先の映像を含む）の端末映像データについて端末アプリ３４ａで所定のデータ処理、例えば、ＦＭ変調や信号増幅を行った後、前述の端末撮像用親機送信データのデータ伝送路と逆の当該伝送路を経由して第１の居室親機２ａの親機制御部２５ａに送信する。
【００３５】
第１の居室親機２ａの親機制御部２５ａは、玄関子機１からの子機映像データと第１の外部通信端末３ａからの端末映像データをそれぞれ受信すると、受信した２種の当該映像データについて親機アプリ２４ａで所定のデータ処理、例えば、信号増幅やＦＭ復調を行った後、図２（Ａ）の画面構成図で「２１ａ−（１）」で示すように、親機表示部２１ａの画面上に並べて２種の当該映像データを同時のタイミングで表示させるべく親機アプリ２４ａでフォーマット処理を行うことができるばかりでなく、この画面上には、モニタ中であると文字メッセージで表示される。
【００３６】
次に、前述と同様、図１に示す当該システムが例えば、待受状態において、外出者が第１の外部通信端末３ａの端末操作部３０ａを用いて所定の起動（モニタ起動）操作を行うと、この操作を検出した端末制御部３５ａは、端末表示部３１ａを画面表示可能な状態に制御するとともに、玄関子機１の子機撮像部１２の動作及び第１の居室親機２ａの親機撮像部２３ａの動作をそれぞれ開始させるための子機／親機撮像用端末送信データを生成する。また、端末制御部３５ａで生成された子機／親機撮像用端末送信データは、端末アプリ３４ａに予め登録されている第１の居室親機２ａを指定／選択する例えば、ＩＰアドレスが付加された後、端末Ｉ／Ｆ３６ａから汎用ネットワークＮＴに送信されることで、この子機／親機端末用撮像送信データは、前述のＩＰアドレスが一致する第１の居室親機２ａのネットワーク側親機Ｉ／Ｆ２７ａを経由して親機制御部２５ａで受信される。
【００３７】
第１の居室親機２ａの親機制御部２５ａは、第１の外部通信端末３ａからの子機／親機撮像用端末送信データを受信すると、親機撮像部２３ａの動作を開始させ、この親機撮像部２３ａで生成された住戸内の親機映像データについて親機アプリ２４ａで所定のデータ処理、例えば、ＦＭ変調や信号増幅を行った後、前述の子機／親機撮像用端末送信データのデータ伝送路と逆の当該伝送路を経由して第１の外部通信端末３ａの端末制御部３５ａに送信する。また、親機制御部２５ａは、受信した子機／親機撮像用端末送信データを、子機側親機Ｉ／Ｆ２６ａ、子機／親機ラインＬ1、玄関子機１の子機Ｉ／Ｆ１５を経由して子機制御部１４に送信（転送）する。
【００３８】
玄関子機１の子機制御部１４は、第１の外部通信端末３ａから第１の居室親機２ａを経由して送信（転送）されてきた子機／親機撮像用親機送信データを受信すると、子機撮像部１２の動作を開始させ、この子機撮像部１２で生成された住戸外（住戸玄関）の子機映像データについて子機アプリ１３で所定のデータ処理、例えば、ＦＭ変調や信号増幅を行った後、前述の子機／親機撮像用端末送信データのデータ伝送路と逆の当該伝送路を経由して第１の外部通信端末３ａの端末制御部３５ａに送信する。
【００３９】
第１の外部通信端末３ａの端末制御部３５ａは、第１の玄関子機１から第２の居室親機２ａを経由して送信（転送）されてきた子機映像データと第１の居室親機２ａからの親機映像データをそれぞれ受信すると、受信した２種の当該映像データについて端末アプリ３４ａで所定のデータ処理、例えば、信号増幅やＦＭ復調を行った後、図２（Ｂ）の画面構成図で「３１ａ−（１）」で示すように、端末表示部３１ａの画面上に並べて２種の当該映像データを同時のタイミングで表示させるべく端末アプリ３４ａでフォーマット処理を行うことができるばかりでなく、この画面上には、モニタ中であると文字メッセージで表示される。
【００４０】
次に、前述と同様、図１に示す当該システムが例えば、待受状態において、来訪者が在室者を呼出すために、玄関子機１の子機操作部１０を用いて所定の呼出操作を行うと、この操作を検出した子機制御部１４は、当該玄関子機からの呼出中である旨の子機呼出データを生成し、子機Ｉ／Ｆ１５、子機／親機ラインＬ1、第１の居室親機２ａの子機側親機Ｉ／Ｆ２６ａを経由して親機制御部２５ａに送信する。
【００４１】
第１の居室親機２ａの親機制御部２５ａは、玄関子機１からの子機呼出データを受信すると、来訪者（玄関子機１）からの呼出しがあることを検出し、その旨の呼出音や音声メッセージを親機通話部２２ａのスピーカ（ＳＰ）から出力（音響出力）させて報知を行うとともに、玄関子機１の子機撮像部１２の動作を開始させるための子機撮像用親機送信データを生成する。また、親機制御部２５ａで生成された子機撮像用親機送信データは、前述のモニタ（起動）操作時と同一のデータ伝送路を経由して玄関子機１の子機制御部１４に送信される。
【００４２】
玄関子機１の子機制御部１４は、第１の居室親機２ａからの子機撮像用親機送信データを受信すると、子機撮像部１２の動作を開始させ、この子機撮像部１２で生成された来訪者の映像（住戸外（住戸玄関）の映像を含む）の子機映像データについて子機アプリ１３で所定のデータ処理、例えば、ＦＭ変調や信号増幅を行った後、前述の子機呼出データと同一のデータ伝送路を経由して第１の居室親機２ａの親機制御部２５ａに送信する。
【００４３】
第１の居室親機２ａの親機制御部２５ａは、玄関子機１からの子機映像データを受信すると、受信した当該映像データについて親機アプリ２４ａで所定のデータ処理、例えば、信号増幅やＦＭ復調を行った後、図２（Ａ）で「２１ａ−（２）」で示すように、親機表示部２１ａの画面上に、玄関子機１から呼出中である旨の文字メッセージとともに表示させることができる。また、親機制御部２５ａは、前述のように受信した子機呼出データ及び子機映像データに、親機アプリ２４ａに予め登録されている第１の外部通信端末３ａを指定／選択する例えば、ＩＰアドレスを付加した後、ネットワーク側親機Ｉ／Ｆ２７ａから汎用ネットワークＮＴに送信することで、この子機呼出データ及び子機映像データは、前述のＩＰアドレスが一致する第１の外部通信端末３ａの端末Ｉ／Ｆ３６ａを経由して端末制御部３５ａで受信される。
【００４４】
第１の外部通信端末３ａの端末制御部３５ａは、玄関子機１から第１の居室親機２ａを経由して送信（転送）されてきた子機呼出データ及び子機映像データを受信すると、受信した子機呼出データをもとに来訪者（玄関子機１）からの呼出しがあることを検出し、その旨の呼出音や音声メッセージを端末通話部３２ａのスピーカ（ＳＰ）から出力（音響出力）させて報知を行うことができる。また、端末制御部３５ａは、同様に受信した子機映像データについて端末アプリ３４ａで所定のデータ処理、例えば、信号増幅やＦＭ復調を行った後、図２（Ｂ）で「３１ａ−（２）」で示すように、端末表示部３１ａの画面上に、玄関子機１から呼出中である旨の文字メッセージとともに表示させることができる。
【００４５】
次に、前述のような呼出報知・映像表示を確認することができる在室者及び外出者のうち、最先に所定の応答操作を行った人物として、ここでは、在室者が第１の居室親機２ａの親機操作部２０ａを用いて所定の応答操作を行う、例えば、図２（Ａ）で「２１ａ−（２）」に示す親機表示部２１ａの画面上の通話ボタンを操作すると、この操作を検出した親機制御部２５ａは、親機アプリ２４ａを経由して親機通話部２２ａのマイク（ＭＩＣ）及びスピーカ（ＳＰ）を用いた通話機能を能動とするとともに、親機表示部２１ａの表示内容として、玄関子機１から呼出中である旨の文字メッセージを、図２（Ａ）で「２１ａ−（３）」に示すように、玄関子機１と自親機２ａの間で２者通話中である旨の文字メッセージに切換えることができる。また、親機制御部２５ａは、玄関子機１の通話機能を能動とするための子機通話用親機送信データと、第１の外部通信端末３ａを呼出中から待受状態に復旧させるための端末復旧用親機送信データとをそれぞれ生成する。ここで、親機制御部２５ａで生成された子機通話用親機送信データは、前述の子機撮像用親機送信データと同一のデータ伝送路を経由して玄関子機１の子機制御部１４に送信される。一方、親機制御部２５ａで生成された端末復旧用親機送信データは、前述の端末撮像用親機送信データと同一のデータ伝送路を経由して第１の外部通信端末３ａの端末制御部３５ａに送信される。
【００４６】
玄関子機１の子機制御部１４は、第１の居室親機２ａからの子機通話用親機送信データを受信すると、子機アプリ１３を経由して子機通話部１１のマイク（ＭＩＣ）及びスピーカ（ＳＰ）を用いた通話機能を能動とすることができる。ここまでの制御により、来訪者により用いられる子機通話部１１のマイク（ＭＩＣ）及びスピーカ（ＳＰ）と、子機制御部１４、当該子機制御部に接続された子機アプリ１３、子機制御部１４、子機Ｉ／Ｆ１５、子機／親機ラインＬ1、第１の居室親機２ａの親機Ｉ／Ｆ２６ａ、親機制御部２５ａ、当該親機制御部に接続された親機アプリ２４ａ、親機制御部２５ａを経由して、在室者により用いられる親機通話部２２ａのマイク（ＭＩＣ）及びスピーカ（ＳＰ）との間のデータ伝送路が形成され、このデータ伝送路を経由して音声（送話音声、受話音声）データを送受信することで、来訪者及び在室者による２者通話が成立する。
【００４７】
一方、第１の外部通信端末３ａの端末制御部３５ａは、第１の居室親機２ａからの端末復旧用親機送信データを受信すると、玄関子機１からの呼出中が待受状態に復旧し、端末表示部３１ａへの画面表示も消画となる。
【００４８】
次に、前述のような来訪者及び在室者による２者通話が成立しているとき、この在室者が来訪者のみならず外出者との間で３者通話を成立させるために、図２（Ａ）で「２１ａ−（３）」に示す第１の居室親機２ａの親機表示部２１ａの画面上の３者通話ボタンを、親機操作部２０ａを用いて選択（選択操作）すると、この操作を検出した親機制御部２５ａは、第１の外部通信端末３ａを３者通話中とするための端末３者通話用親機送信データを生成するとともに、親機アプリ２４ａを経由して親機通話部２２ａのマイク（ＭＩＣ）及びスピーカ（ＳＰ）を用いた通話機能を能動のまま保持し、玄関子機１からの子機映像データの受信動作を継続させた状態で親機撮像部２３ａにおいて在室者の映像（住戸内の映像を含む）の撮像を開始させることで親機映像データを生成する。また、親機制御部２５ａは、親機撮像部２３ｂで生成された親機映像データについて親機アプリ２４ａで所定のデータ処理、例えば、ＦＭ変調や信号増幅を行った後、この親機映像データ及び玄関子機１からの子機映像データと端末３者通話用親機送信データについて、前述の端末撮像用親機送信データと同一のデータ伝送路を経由して第１の外部通信端末３ａの端末制御部３５ａに送信する。
【００４９】
第１の外部通信端末３ａの端末制御部３５ａは、第１の居室親機２ａからの端末３者通話用親機送信データを受信すると、同様に受信した子機映像データ及び親機映像データについて親機アプリ３４ａで所定のデータ処理、例えば、信号増幅やＦＭ復調を行った後、図２（Ｂ）で「３１ａ−（３）」に示すように、端末表示部３１ａの画面上に並べて２種の当該映像データを同時のタイミングで表示させるべくフォーマット処理を行うことができるばかりでなく、この画面上には、玄関子機１、第１の居室親機２ａ及び自端末３ａの機器相互で３者通話中である旨の文字メッセージが表示される。
【００５０】
また、第１の外部通信端末３ａの端末制御部３５ａは、端末アプリ３４ａを経由して端末通話部３２ａのマイク（ＭＩＣ）及びスピーカ（ＳＰ）を用いた通話機能を能動とするばかりでなく、端末撮像部３３ａの動作を開始させ、この端末撮像部３３ａで生成された外出者の映像（外出先の映像を含む）の端末映像データについて端末アプリ３４ａで所定のデータ処理、例えば、ＦＭ変調や信号増幅を行った後、第１の居室親機２ａを２者通話から３者通話に切換えるための親機３者通話用端末送信データとともに、前述の親機撮像用端末送信データと同一の伝送路を経由して第１の居室親機２ａの親機制御部２５ａに送信する。
【００５１】
第１の居室親機２ａの親機制御部２５ａは、第１の外部通信端末３ａからの端末映像データ及び親機３者通話用端末送信データを受信すると、受信した端末映像データと玄関子機１からの子機映像データについて親機アプリ２４ａで所定のデータ処理、例えば、信号増幅やＦＭ復調を行った後、図２（Ａ）で「２１ａ−（４）」で示すように、親機表示部２１ａの画面上に並べて２種の当該映像データを同時のタイミングで表示させるべくフォーマット処理を行うことができるばかりでなく、この画面上に表示される文字メッセージが、玄関子機１と自親機２ａの間で２者通話中である旨の文字メッセージから、玄関子機１、第１の外部通信端末３ａ及び自親機２ａの機器相互で３者通話中である旨の文字メッセージに切換えられる。
【００５２】
次に、前述のような呼出報知・映像表示を確認することができる在室者及び外出者のうち、最先に所定の応答操作を行った人物として、ここでは、外出者が第１の外部通信端末３ａの端末操作部３０ａを用いて所定の応答操作を行う、例えば、図２（Ｂ）で「３１ａ−（２）」に示す端末表示部３１ａの画面上の通話ボタンを操作すると、この操作を検出した端末制御部３５ａは、端末アプリ３４ａを経由して端末通話部３２ａのマイク（ＭＩＣ）及びスピーカ（ＳＰ）を用いた通話機能を能動とするとともに、端末表示部３１ａの表示内容として、玄関子機１から呼出中である旨の文字メッセージを、図２（Ｂ）で「３１−（４）」に示すように、玄関子機１と自端末３ａの間で２者通話中である旨の文字メッセージに切換えることができる。また、端末制御部３５ａは、玄関子機１の通話機能を能動とするための子機通話用端末送信データと、第１の居室親機２ａを呼出中から待受状態に復旧させるための親機復旧用端末送信データとをそれぞれ生成する。ここで、端末制御部３５ａで生成された子機通話用端末送信データ及び親機復旧用端末送信データは、前述の親機撮像用端末送信データと同一のデータ伝送路を経由して第１の居室親機２ａの親機制御部２５ａに送信される。
【００５３】
第１の居室親機２ａの親機制御部２５ａは、第１の外部通信端末３ａからの子機通話用端末送信データを受信すると、この子機通話用端末送信データを、前述の子機撮像用親機送信データと同一のデータ伝送路を経由して玄関子機１の子機制御部１４に送信（転送）する。また、親機制御部２５ａは、同様に受信した親機復旧用端末送信データを検出すると、玄関子機１からの呼出中が待受状態に復旧し、玄関子機１からの子機映像データの送信も停止されるため、親機表示部２１ａへの画面表示も消画となる。
【００５４】
玄関子機１の子機制御部１４は、第１の外部通信端末３ａから第１の居室親機２ａを経由して送信（転送）されてきた子機通話用端末送信データを受信すると、子機アプリ１３を経由して子機通話部１１のマイク（ＭＩＣ）及びスピーカ（ＳＰ）を用いた通話機能を能動とすることができる。ここまでの制御により、来訪者により用いられる子機通話部１１のマイク（ＭＩＣ）及びスピーカ（ＳＰ）と、子機制御部１４、当該子機制御部に接続された子機アプリ１３、子機制御部１４、子機Ｉ／Ｆ１５、子機／親機ラインＬ1、第１の居室親機２ａの子機側親機Ｉ／Ｆ２６ａ、親機制御部２５ａ、ネットワーク側親機Ｉ／Ｆ２７ａ、汎用ネットワークＮＴ、第１の外部通信端末３ａの端末Ｉ／Ｆ３６ａ、端末制御部３５ａ、当該端末制御部に接続された端末アプリ３４ａ、端末制御部３５ａを経由して、外出者により用いられる端末通話部３２ａのマイク（ＭＩＣ）及びスピーカ（ＳＰ）との間のデータ伝送路が形成され、このデータ伝送路を経由して音声（送話音声、受話音声）データを送受信することで、来訪者及び外出者による２者通話が成立する。
【００５５】
次に、前述のような来訪者及び外出者による２者通話が成立しているとき、この外出者が来訪者のみならず在室者との間で３者通話を成立させるために、図２（Ｂ）で「３１ａ−（４）」に示す第１の外部通信端末３ａの端末表示部３１ａの画面上の３者通話ボタンを端末操作部３０ａを用いて選択（選択操作）すると、この操作を検出した端末制御部３５ａは、第１の居室親機２ａを３者通話中とするための親機３者通話用端末送信データを生成するとともに、端末アプリ３４ａを経由して端末通話部３２ａのマイク（ＭＩＣ）及びスピーカ（ＳＰ）を用いた通話機能を能動のまま保持し、玄関子機１から第１の居室親機２ａを経由して送信（転送）されてくる子機映像データの受信動作を継続させた状態で端末撮像部３３ａにおいて外出者の映像（外出先の映像を含む）の撮像を開始させることで端末映像データを生成する。また、端末制御部３５ａは、端末撮像部３３ａで生成された端末映像データについて端末アプリ３４ａで所定のデータ処理、例えば、ＦＭ変調や信号増幅を行った後、この端末映像データと親機３者通話用端末送信データについて、前述の親機撮像用端末送信データと同一のデータ伝送路を経由して第１の居室親機２ａの親機制御部２５ａに送信する。
【００５６】
第１の居室親機２ａの親機制御部２５ａは、第１の外部通信端末３ａからの親機３者通話用端末送信データを受信すると、同様に受信した端末映像データと玄関子機１からの子機映像データについて親機アプリ３４ａで所定のデータ処理、例えば、信号増幅やＦＭ復調を行った後、図２（Ａ）で「２１ａ−（４）」で示すように、親機表示部３１ａの画面上に並べて２種の当該映像データを同時のタイミングで表示させるべくフォーマット処理を行うことができるばかりでなく、この画面上には、玄関子機１、第１の外部通信端末３ａ及び自親機２ａの機器相互で３者通話中である旨の文字メッセージが表示される。
【００５７】
また、第１の居室親機２ａの親機制御部２５ａは、親機アプリ２４ａを経由して親機通話部２２ａのマイク（ＭＩＣ）及びスピーカ（ＳＰ）を用いた通話機能を能動とするばかりでなく、親機撮像部２２ａの動作を開始させ、この親機撮像部２２ａで生成された在室者の映像（住戸内の映像を含む）の親機映像データについ親機アプリ２４ａで所定のデータ処理、例えば、ＦＭ変調や信号増幅を行った後、第１の外部通信端末３ａを２者通話から３者通話に切換えるための端末３者通話用親機送信データと、第１の玄関子機１からの子機映像データとともに、前述の端末撮像用親機送信データと同一のデータ伝送路を経由して第１の外部通信端末３ａの端末制御部３５ａに送信する。
【００５８】
第１の外部通信端末３ａの端末制御部３５ａは、第１の居室親機２ａからの子機映像データ、親機映像データ及び端末３者通話用端末送信データを受信すると、受信した子機映像データ及び親機映像データについて端末アプリ３４ａで所定のデータ処理、例えば、信号増幅やＦＭ復調を行った後、図２（Ｂ）で「３１ａ−（３）」に示すように、端末表示部３１ａの画面上に並べて２種の当該映像データを同時のタイミングで表示させるべくフォーマット処理を行うことができるばかりでなく、この画面上に表示される文字メッセージが、玄関子機１と自端末３ａの間で２者通話中である旨の文字メッセージから、玄関子機１、第１の居室親機２ａ及び自端末３ａの機器相互で３者通話中である旨の文字メッセージに切換えられる。
【００５９】
すなわち、前述のような３者通話時によれば、玄関子機１の子機通話部１１のマイク（ＭＩＣ）を用いた来訪者による子機音声（送話音声）データは、子機制御部１４からこの制御部１４に接続された子機アプリ１３で所定のデータ処理、例えば、ＦＭ変調や信号増幅がなされた後、子機制御部１４、子機Ｉ／Ｆ１５、子機／親機ラインＬ1、第１の居室親機２ａの子機側親機Ｉ／Ｆ２６ａを経由して親機制御部２５ａに送信されることで、親機アプリ２４ａで所定のデータ処理、例えば、信号増幅やＦＭ復調がなされた後、親機制御部２５ａを経由して親機通話部２２ａのスピーカ（ＳＰ）から出力されるばかりでなく、前述の親機制御部２５ａからネットワーク側親機Ｉ／Ｆ２７ａ、汎用ネットワークＮＴ、第１の外部通信端末３ａの端末Ｉ／Ｆ３６ａを経由して端末制御部３５ａに送信されることで、端末アプリ３４ａで所定のデータ処理、例えば、信号増幅やＦＭ復調がなされた後、端末制御部３５ａを経由して端末通話部３２のスピーカ（ＳＰ）から出力される。
【００６０】
また、第１の居室親機２ａの親機通話部２２ａのマイク（ＭＩＣ）を用いた在室者による親機音声（送話音声）データは、親機制御部２５ａからこの制御部２５ａに接続された親機アプリ２４ａで所定のデータ処理、ＦＭ変調や信号増幅がなされた後、親機制御部２５ａ、子機側親機Ｉ／Ｆ２６ａ、子機／親機ラインＬ1、玄関子機１の子機Ｉ／Ｆ１５を経由して子機制御部１４に送信されることで、子機アプリ１３で所定のデータ処理、例えば、信号増幅やＦＭ復調がなされた後、子機制御部１４を経由して子機通話部１１のスピーカ（ＳＰ）から出力されるばかりでなく、前述の親機制御部２５ａからネットワーク側親機Ｉ／Ｆ２７ａ、汎用ネットワークＮＴ、第１の外部通信端末３ａの端末Ｉ／Ｆ３６ａを経由して端末制御部３５ａに送信されることで、端末アプリ３４ａで所定のデータ処理、例えば、信号増幅やＦＭ復調がなされた後、端末制御部３５ａを経由して端末通話部３２ａのスピーカ（ＳＰ）から出力される。
【００６１】
さらに、第１の外部通信端末３ａの端末通話部３２ａのマイク（ＭＩＣ）を用いた外出者による端末音声（送話音声）データは、端末制御部３５ａからこの制御部３５ａに接続された端末アプリ３４ａで所定のデータ処理、例えば、ＦＭ変調や信号増幅がなされた後、端末制御部３５ａ、端末Ｉ／Ｆ３６ａ、汎用ネットワークＮＴ、第１の居室親機２ａのネットワーク側親機Ｉ／Ｆ２７ａを経由して親機制御部２５ａに送信され、親機アプリ２４ａで所定のデータ処理、例えば、信号増幅やＦＭ復調がなされた後、親機制御部２５ａを経由して親機通話部２２ａのスピーカ（ＳＰ）から出力されるばかりでなく、前述の親機制御部２５ａから子機側親機Ｉ／Ｆ２６ａ、子機／親機ラインＬ1、玄関子機１の子機Ｉ／Ｆ１５を経由して子機制御部１４に送信されることで、子機アプリ１３で所定のデータ処理、例えば、信号増幅やＦＭ復調がなされた後、子機通話部１１のスピーカ（ＳＰ）から出力される。
【００６２】
次に、前述のような３者通話が成立しているとき、すなわち、図２（Ａ）に「２１ａ−（４）」で示すように、第１の居室親機２ａの親機表示部２１ａに子機映像データ及び端末映像データが３者通話中である旨の文字メッセージとともに表示されているばかりでなく、図２（Ｂ）に「３１ａ−（３）」で示すように、第１の外部通話端末３ａの端末表示部３１ａに子機映像データ及び親機映像データが３者通話中である旨の文字メッセージとともに表示されているとき、外出者が来訪者及び在室者のうち例えば、在室者との間の通話を優先すべく、この在室者により用いられている第１の居室親機２ａを選択するように端末操作部３０ａで所定の操作、例えば、該当する親機映像データを（タッチ操作で）選択して２者通話ボタンを操作すると、この操作を検出した端末制御部３５ａは、端末アプリ３４ａを制御し、前述のように３者通話時において玄関子機１から第１の居室親機２ａを経由して送信（転送）されてきた子機音声データの音圧レベルを抑圧、例えば、０Ｖにする一方、同様に第１の居室親機２ａから送信されてきた親機音声データの音圧レベルについては、受信した音圧レベルのまま保持する。この制御により、端末通話部３２ａのスピーカ（ＳＰ）からの出力音声として、子機音声データの音圧レベルを抑圧、例えば、０Ｖに抑圧でき、その効果として親機送信データが強調されることになる。
【００６３】
また、第１の外部通信端末３ａの端末制御部３５ａによれば、前述の操作を検出すると、３者通話の対象とされる玄関子機１及び第１の居室親機２ａのうち、玄関子機１の子機通話部１１のスピーカ（ＳＰ）から出力される親機音声データ及び端末音声データの音圧レベルと、第２の居室親機２ａの親機通話部２２ａのスピーカ（ＳＰ）から出力される子機音声データ及び端末音声データの音圧レベルと、をそれぞれ抑圧するための子機／親機音圧制御用端末送信データを生成し、前述の子機／親機撮像用端末送信データと同一のデータ伝送路を経由して、玄関子機１の子機制御部１４及び第１の居室親機２ａの親機制御部２５ａにそれぞれ送信する。
【００６４】
玄関子機１の子機制御部１４は、第１の外部通信端末３ａから第１の居室親機２ａを経由して送信（転送）されてきた子機／親機音圧制御用端末送信データを受信すると、子機アプリ１４への制御により、子機通話部１１のスピーカ（ＳＰ）から出力させる親機音声データ及び端末音声データの音圧レベルを抑圧、例えば、０Ｖにすることができる。一方、第１の居室親機２ａの親機制御部２５ａは、第１の外部通信端末３ａから送信されてきた子機／親機音圧制御用端末送信データを受信すると、親機アプリ２４ａへの制御により、親機通話部２２ａのスピーカ（ＳＰ）から出力させる子機音声データ及び端末音声データの音圧レベルを抑圧、例えば、０Ｖに抑圧することができる。
【００６５】
なお、外出者によれば、前述と異なり来訪者及び在室者のうち例えば、来訪者との間の通話を優先すべく、この来訪者により用いられている玄関子機１を選択するためには、第１の外部通信端末３ａの端末操作部３０ａで所定の操作、例えば、該当する子機映像データを（タッチ操作で）選択して２者通話ボタンを操作することで実行できる。この操作が行われると、前述と同様な各種制御により、端末通話部３２ａのスピーカ（ＳＰ）からの出力音声として、親機音声データの音圧レベルを抑圧、例えば、０Ｖに抑圧でき、その効果として子機送信データが強調されることになる。
【００６６】
また、前述のような３者通話が成立しているとき、図２（Ａ）に「２１ａ−（４）」で示すように、第１の居室親機２ａの親機表示部２１ａに表示されている２者通話ボタンを、親機操作部２０ａを用いて在室者が選択（選択操作）すると、この操作を検出した親機制御部２５ａは、前述のような３者通話から玄関子機１との間の２者通話に切換えるばかりでなく、親機表示部２１ａへの画面表示を同図の「２１ａ−（３）」に切換えることができる。
【００６７】
さらに、同様な３者通話が成立しているとき、図２（Ｂ）に「３１ａ−（３）」で示すように、第１の外部通信端末３ａの端末表示部３１ａに表示されている２者通話ボタンを、外出者が端末操作部３０ａを用いて選択（選択操作）すると、この操作を検出した端末制御部３５ａは、前述のような３者通話から玄関子機１との間の２者通話に切換えるばかりでなく、端末表示部３１ａへの画面表示を同図の「３１ａ−（４）」に切換えることができる。
【００６８】
なお、第１の実施例において成立される２者通話又は３者通話を終了（終話）し、待受状態に復旧させる動作については、２者通話又は３者通話が可能な各種インターホンシステムにおける該当動作と同一であるため、その説明は省略するものとする。
【００６９】
また、第１の実施例によれば、その具体的なデータ送受信の流れとして、玄関子機１の子機Ｉ／Ｆ１５を、子機／親機ラインＬ1を経由して第１の居室親機１ａの子機側親機Ｉ／Ｆ２６ａに接続し、これらＩ／Ｆ１５、２６ａ間で各種データを送受信することで、第１の居室親機２ａ及びこれに接続される汎用ネットワークＮＴを経由して玄関子機１と第１の外部通信端末３ａとの間のデータ伝送路を形成したが、この態様に限定されるものではない。例えば、玄関子機１の子機アプリ１３に、第１の外部通信端末３ａを指定／選択するための例えば、ＩＰアドレスを登録しておき、このＩＰアドレスをもとに図１に破線で示すように、子機Ｉ／Ｆ１５と汎用ネットワークＮＴを経由して端末Ｉ／Ｆ３６ａとの間のデータ伝送路を形成することもできる。
【００７０】
また、第１の実施例によれば、住戸内に設置され通話機能を有する機器として第１の居室親機２ａを適用したが、この態様に限定されるものではない。例えば、汎用ネットワークＮＴとの接続機能が不備とされる以外、第１の居室親機２ａと同様な構成の増設親機を当該居室親機に接続させて設けてもよく、さらに、玄関子機１、居室親機２ａ（、増設親機）及び外部通信端末３ａは、同実施例に示すような１台ずつに限定されるものではなく、より複数台を適用することもでき、複数台の機器を用いた複数通話が可能となる。
〔第２の実施例〕
次に、本発明の第２の実施例によるインターホンシステムについて、図３のブロック図を参照して説明する。
【００７１】
同図に示すインターホンシステムは、住戸外に設置され、住戸外における所定のエリア内の監視映像を撮像するとともに、このエリア内に居る人物（以下、監視対象者という）が前述の第１の実施例と同様の在室者や外出者との間で通話を行う監視カメラ４と、住戸内に設置され、監視対象者との間で在室者が通話を行うばかりなく、この在室者が外出者との間で通話を行うことができる居室親機（以下、第２の居室親機という）２ｂと、外出者により携行され、この外出者が監視対象者や在室者との間で通話を行うことができる例えば、スマートフォンや携帯電話等の外部通信端末（以下、第２の外部通信端末という）３ｂとを有しており、当該第２の実施例において、監視カメラ４及び第２の居室親機２ｂ間は、カメラ／親機ラインＬ2を経由して接続され、第２の居室親機２ｂ及び第２の外部通信端末３ｂ間は、前述の第１の実施例と同様の汎用ネットワークＮＴを経由して接続されている。
【００７２】
同図に示す監視カメラ４には、カメラ撮像部４０、カメラ通話部４１、カメラアプリケーション（以下、カメラアプリという）４２、カメラ制御部４３及びカメラインターフェース（以下、カメラＩ／Ｆという）４４が備えられている。
【００７３】
この監視カメラ４において、カメラ撮像部４０は、住戸外の所定のエリア内の監視映像を撮像してカメラ映像データを生成するものであって例えば、ＣＣＤ、ＣＭＯＳ等の各種の映像撮像媒体で構成されている。また、カメラ通話部４１は、監視対象者が在室者や外出者との間で通話を行うための音声（送話音声、受話音声）を入出力するものであって例えば、マイク（ＭＩＣ）及びスピーカ（ＳＰ）が備えられている。なお、カメラ撮像部４０によれば、例えば、不図示の人体感知センサ等が有する人体感知機能に連動させて、監視カメラ４の周囲近傍に人体の存在が感知されたときや、予め定められた時間のタイミングで、その動作を能動としてカメラ映像データを生成することもできる。
【００７４】
カメラアプリ４２は、カメラ撮像部４０で生成されたカメラ映像データについて所定のデータ処理、例えば、ＦＭ変調や信号増幅を行うことができるばかりでなく、通話成立時においてカメラ通話部４１のマイク（ＭＩＣ）に入力された音声データについて所定のデータ処理、例えば、ＦＭ変調や音圧レベルの調整（信号増幅）を行うとともにスピーカ（ＳＰ）から出力させる音声データについて所定のデータ処理、例えば、ＦＭ復調や音圧レベルの調整（信号増幅）を行うことができる。なお、カメラアプリ４２によれば、前述のようにデータ処理を行う各種データや後述するカメラ制御部４３で送受信される制御データについての通信相手先として、第２の居室親機２ｂを指定／選択する機能や、同図に破線で示すように、予め登録した、汎用ネットワークＮＴを経由して接続される第２の外部通信端末３ｂを指定／選択する機能が備えられている。
【００７５】
カメラ制御部４３は、当該監視カメラの構成各部を制御するものである。また、カメラＩ／Ｆ４４は、カメラ制御部４３及びカメラ／親機ラインＬ2間のデータ伝送路を形成するばかりでなく、カメラアプリ４２が有する前述の機能に対応させて、カメラ制御部４３及び汎用ネットワークＮＴ間のデータ伝送路を形成することもできる。
【００７６】
次に、同図に示す第２の居室親機２ｂには、親機操作部２０ｂ、親機表示部２１ｂ、親機通話部２２ｂ、親機撮像部２３ｂ、親機アプリ２４ｂ、親機制御部２５ｂ、ネットワーク側親機Ｉ／Ｆ２７ｂ及びカメラ側親機インターフェース（以下、カメラ側親機Ｉ／Ｆという）２８ｂが備えられている。
【００７７】
この居室親機２ｂにおいて、親機操作部２０ｂは、監視カメラ４のカメラ撮像部４０や第２の外部通信端末３ｂの後述する端末撮像部３３ｂの動作、例えば、起動（モニタ起動）のみならずパン・チルトやズームを制御するための所定の操作や、通話成立時においてその通話相手先として単一人から複数人間の通話（複数通話）、ここでは、２者通話又は３者通話に切換えるための所定の切換操作や、複数通話時において通話相手先を選択するための所定の選択操作等を行うものであって例えば、前述の操作機能に対応させた押圧ボタンや親機表示部２１ｂの前面に配置されたタッチパネル上の操作ボタンが好適とされる。
【００７８】
親機表示部２１ｂは、監視カメラ４のカメラ撮像部４０で生成されたカメラ映像データや第２の外部通信端末３ｂの後述する端末撮像部３３ｂで生成された端末映像データを所定のフォーマットで表示するものであって例えば、ＬＣＤ、有機ＥＬディスプレイ等の各種の表示媒体で構成されている。なお、親機表示部２１ｂによれば、前述の映像表示のみならず、自親機２ｂの動作状態、例えば、監視モニタ中や通話（２者通話又は３者通話）中であることをそれぞれ文字表示できる。
【００７９】
親機通話部２２ｂは、在室者が監視対象者や外出者との間で通話を行うための音声（送話音声、受話音声）を入出力するものであって例えば、マイク（ＭＩＣ）及びスピーカ（ＳＰ）が備えられており、このスピーカ（ＳＰ）は、自親機２ｂの動作状態を音響出力で報知することもできる。また、親機撮像部２３ｂは、在室者の映像や住戸内の映像を撮像して親機映像データを生成するものであって例えば、ＣＣＤ、ＣＭＯＳ等の各種の映像撮像媒体で構成されている。
【００８０】
親機アプリ２４ｂは、親機表示部２１ｂに表示する端末映像データやカメラ映像データについて所定のデータ処理、例えば、信号増幅やＦＭ復調、その後のフォーマット処理を行うことができるばかりでなく、通話成立時において親機通話部２２ｂのマイク（ＭＩＣ）に入力された音声（送話音声）データについて所定のデータ処理、例えば、ＦＭ変調や音圧レベルの調整（信号増幅）を行うとともにスピーカ（ＳＰ）から出力させる音声データについて所定のデータ処理、例えば、ＦＭ復調や音圧レベルの調整（信号増幅）を行うことができる、また、親機アプリ２４ｂは、親機撮像部２３ｂで生成された親機映像データについて所定のデータ処理、例えば、ＦＭ変調や信号増幅を行うこともできる。さらに、親機アプリ２４ｂによれば、前述のようにデータ処理を行う各種データや後述する親機制御部２５ｂで送受信される制御データについての通信相手先として、予め登録した第２の外部通信端末３ｂを指定／選択する機能が備えられている。
【００８１】
親機制御部２５ｂは、当該居室親機の構成各部を制御するものである。また、ネットワーク側親機Ｉ／Ｆ２７ｂは、親機制御部２５ｂ及び汎用ネットワークＮＴ間のデータ伝送路を形成するものである。さらに、カメラ側親機Ｉ／Ｆ２８ｂは、親機制御部２５ｂ及びカメラ／親機ラインＬ2間のデータ伝送路を形成するものである。
【００８２】
次に、同図に示す第２の外部通信端末３ｂには、端末操作部３０ｂ、端末表示部３１ｂ、端末通話部３２ｂ、端末撮像部３３ｂ、端末アプリ３４ｂ、端末制御部３５ｂ及び端末Ｉ／Ｆ３６ｂが備えられている。
【００８３】
この外部通信端末３ｂにおいて、端末操作部３０ａは、外出者が監視カメラ４のカメラ撮像部４０や第２の居室親機２ｂの親機撮像部２２ｂの動作、例えば、起動（モニタ起動）のみならずパン・チルトやズームを制御するための所定の操作や、通話成立時においてその通話相手先として単一人から複数人間の通話（複数通話）、ここでは、２者通話又は３者通話に切換えるための所定の切換操作や、複数通話時において通話相手先を選択するための所定の選択操作等を行うものであって例えば、前述の操作機能に対応させた押圧ボタンや端末表示部３１ｂの前面に配置されたタッチパネル上の操作ボタンが好適とされる。
【００８４】
端末表示部３１ｂは、監視カメラ４のカメラ撮像部４０で生成されたカメラ映像データや第２の居室親機２ｂの親機撮像部２２ｂで生成された親機映像データを所定のフォーマットで表示するものであって例えば、ＬＣＤ、有機ＥＬディスプレイ等の各種の表示媒体で構成されている。なお、端末表示部３１ｂによれば、前述の映像表示のみならず、自端末３ｂの動作状態、例えば、監視モニタ中や通話（２者通話又は３者通話）中であることをそれぞれ文字表示できる。
【００８５】
端末通話部３２ｂは、外出者が在室者や監視対象者との間で通話を行うための音声（送話音声、受話音声）データを入出力するものであって例えば、マイク（ＭＩＣ）及びスピーカ（ＳＰ）が備えられており、このスピーカ（ＳＰ）は、自端末３ｂの動作状態を音響出力で報知することもできる。また、端末撮像部３３ｂは、外出者の映像や外出先の映像を撮像して端末映像データを生成するものであって例えば、ＣＣＤ、ＣＭＯＳ等の各種の映像撮像媒体で構成されている。
【００８６】
端末アプリ３４ｂは、端末表示部３１ｂに表示するカメラ映像データや親機映像データやについて所定のデータ処理、例えば、信号増幅やＦＭ復調、その後のフォーマット処理を行うことができるばかりでなく、通話成立時において端末通話部３２ｂのマイク（ＭＩＣ）に入力された音声（送話音声）データについて所定のデータ処理、例えば、ＦＭ変調や音圧レベルの調整（信号増幅）を行うとともにスピーカ（ＳＰ）から出力させる音声データについて所定のデータ処理、例えば、ＦＭ復調や音圧レベルの調整（信号増幅）を行うことができる、また、端末アプリ３４ｂは、端末撮像部３３ｂで生成された端末映像データについて所定のデータ処理、例えば、ＦＭ変調や信号増幅を行うこともできる。さらに、端末アプリ３４ｂによれば、前述のようにデータ処理を行う各種データや後述する端末制御部３５ｂで送受信される制御データについての通信相手先として、予め登録した第２の居室親機２ｂを指定／選択する機能や、同図に破線で示すように、予め登録した、汎用ネットワークＮＴを経由して接続される監視カメラ４を指定／選択する機能が備えられている。
【００８７】
端末制御部３５ｂは、当該外部通信端末の構成各部を制御するものである。また、端末Ｉ／Ｆ３６ｂは、端末制御部３５ｂ及び汎用ネットワークＮＴ間のデータ伝送路を形成するものである。
【００８８】
このように構成された本発明の第２の実施例によるインターホンシステムにおいて、以下、具体的な動作について説明する。
【００８９】
図３に示す当該システムが例えば、待受状態において、在室者が第２の居室親機２ｂの親機操作部２０ｂを用いて所定のモニタ（起動）操作を行うと、この操作を検出した親機制御部２５ｂは、親機表示部２１ｂを画像表示可能な状態に制御するとともに、監視カメラ４のカメラ撮像部４０の動作を開始させるためのカメラ撮像用親機送信データと、第２の外部通信端末３ｂの端末撮像部３３ｂの動作を開始させるための端末撮像用親機送信データとをそれぞれ生成する。また、親機制御部２５ｂで生成されたカメラ撮像用親機送信データは、カメラ側親機Ｉ／Ｆ２８ｂ、カメラ／親機ラインＬ2、監視カメラ４のカメラＩ／Ｆ４４を経由してカメラ制御部４３に送信される。さらに、親機制御部２５ｂで生成された端末撮像用親機送信データは、親機アプリ２４ｂに予め登録されている第２の外部通信端末３ｂを指定／選択する例えば、ＩＰアドレスが付加された後、ネットワーク側親機Ｉ／Ｆ２７ｂから汎用ネットワークＮＴに送信されることで、この端末撮像用親機送信データは、前述のＩＰアドレスが一致する第２の外部通信端末３ｂの端末Ｉ／Ｆ３６ｂを経由して端末制御部３５ｂで受信される。
【００９０】
監視カメラ４のカメラ制御部４３は、第２の居室親機２ｂからのカメラ撮像用親機送信データを受信すると、カメラ撮像部４０の動作を開始させ、このカメラ撮像部４０で生成された住戸外（住戸玄関）の監視映像のカメラ映像データについてカメラアプリ４２で所定のデータ処理、例えば、ＦＭ変調や信号増幅を行った後、前述のカメラ撮像用親機送信データのデータ伝送路と逆の当該伝送路を経由して第２の居室親機２ｂの親機制御部２ｂに送信する。
【００９１】
第２の外部通信端末３ｂの端末制御部３５ｂは、第２の居室親機２ｂからの端末撮像用親機送信データを受信すると、端末撮像部３３ｂの動作を開始させ、この端末撮像部３３ｂで生成された外出者の映像（外出先の映像を含む）の端末映像データについて端末アプリ３４ｂで所定のデータ処理、例えば、ＦＭ変調や信号増幅を行った後、前述の端末撮像用親機送信データのデータ伝送路と逆の当該伝送路を経由して第２の居室親機２ｂの親機制御部２５ａに送信する。
【００９２】
第２の居室親機２ｂの親機制御部２５ｂは、監視カメラ４からのカメラ映像データと第２の外部通信端末３ｂからの端末映像データをそれぞれ受信すると、受信した２種の当該映像データについて親機アプリ２４ｂで所定のデータ処理、例えば、信号増幅やＦＭ復調を行った後、図４（Ａ）の画面構成図で「２１ｂ−（１）」に示すように、親機表示部２１ｂの画面上に並べて２種の当該映像データを同時のタイミングで表示させるべく親機アプリ２４ｂでフォーマット処理を行うばかりでなく、この画面上には、モニタ中であると文字メッセージで表示される。
【００９３】
次に、前述と同様、図３に示す当該システムが例えば、待受状態において、外出者が第２の外部通信端末３ｂの端末操作部３０ｂを用いて所定のモニタ（起動）操作を行うと、この操作を検出した端末制御部３５ｂは、端末表示部３１ｂを画面表示可能な状態に制御するとともに、監視カメラ４のカメラ撮像部４０の動作及び第２の居室親機２ｂの親機撮像部２３ｂの動作をそれぞれ開始させるためのカメラ／親機撮像用端末送信データを生成する。また、端末制御部３５ｂで生成されたカメラ／親機撮像用端末送信データは、端末アプリ３４ｂに予め登録されている第２の居室親機２ｂを指定／選択する例えば、ＩＰアドレスが付加された後、端末Ｉ／Ｆ３６ｂから汎用ネットワークＮＴに送信されることで、このカメラ／親機撮像用端末送信データは、前述のＩＰアドレスが一致する第２の居室親機２ｂのネットワーク側親機Ｉ／Ｆ２７ｂを経由して親機制御部２５ｂで受信される。
【００９４】
第２の居室親機２ｂの親機制御部２５ｂは、第２の外部通信端末３ｂからのカメラ／親機撮像用端末送信データを受信すると、親機撮像部２３ｂの動作を開始させ、この親機撮像部２３ｂで生成された住戸内の親機映像データについて親機アプリ２４ｂで所定のデータ処理、例えば、ＦＭ変調や信号増幅を行った後、前述のカメラ／親機撮像用端末送信データのデータ伝送路と逆の当該伝送路を経由して第２の外部通信端末３ｂの端末制御部３５ｂに送信する。また、親機制御部２５ｂは、受信したカメラ／親機撮像用端末送信データを、カメラ側親機Ｉ／Ｆ２８ｂ、カメラ／親機ラインＬ2、監視カメラ４のカメラＩ／Ｆ４４を経由してカメラ制御部４３に送信（転送）する。
【００９５】
監視カメラ４のカメラ制御部４３は、第２の外部通信端末３ｂから第２の居室親機２ｂを経由して送信（転送）されてきたカメラ／親機撮像端末送信データを受信すると、カメラ撮像部４０の動作を開始させ、このカメラ撮像部４０で生成された住戸外（住戸玄関）の監視映像のカメラ映像データについてカメラアプリ４２で所定のデータ処理、例えば、ＦＭ変調や信号増幅を行った後、前述のカメラ／親機撮像用端末送信データのデータ伝送路と逆の当該伝送路を経由して第２の外部通信端末３ｂの端末制御部３５ｂに送信する。
【００９６】
第２の外部通信端末３ｂの端末制御部３５ｂは、監視カメラ４から第２の居室親機２ｂを経由して送信（転送）されてきたカメラ映像データと第２の居室親機２ｂからの親機映像データをそれぞれ受信すると、受信した２種の当該映像データについて親機アプリ２４ｂで所定のデータ処理、例えば、信号増幅やＦＭ復調を行った後、図２（Ｂ）の画面構成図で「３１ｂ−（１）」で示すように、端末表示部３１ｂの画面上に並べて２種の当該映像データを同時のタイミングで表示させるべく端末アプリ３４ｂでフォーマット処理を行うことができるばかりでなく、この画面上には、モニタ中であると文字メッセージで表示される。
【００９７】
次に、前述と同様、図３に示す当該システムが例えば、待受状態において、住戸外の監視映像を撮像するにあたり、所定のタイミング、例えば、第２の居室親機２ｂの親機制御部２５ｂに予め定められた時間や監視カメラ４の周囲近傍に居る人物の存在を感知したタイミングで、監視カメラ４のカメラ制御部４０は、カメラ撮像部４０の動作を開始することにより、カメラ撮像部４０で生成されたカメラ映像データについてカメラアプリ４２で所定のデータ処理、例えば、ＦＭ変調や信号増幅を行った後、カメラＩ／Ｆ４４、カメラ／親機ラインＬ2、第２の居室親機２ｂのカメラ側親機Ｉ／Ｆ２８ｂを経由して親機制御部２５ｂに送信する。
【００９８】
第２の居室親機２ｂの親機制御部２５ｂは、監視カメラ４からのカメラ映像データを受信すると、受信した当該映像データについて親機アプリ２４ｂで所定のデータ処理、例えば、信号増幅やＦＭ復調を行った後、図４（Ａ）で「２１ｂ−（２）」で示すように、親機表示部２１ｂの画面上に、監視モニタ中である旨の文字メッセージとともに表示させることができる。また、親機制御部２５ｂは、前述のように受信したカメラ映像データに、親機アプリ２４ｂに予め登録されている第２の外部通信端末３ｂを指定／選択する例えば、ＩＰアドレスを付加した後、ネットワーク側親機Ｉ／Ｆ２７ｂから汎用ネットワークＮＴに送信することで、このカメラ映像データは、前述のＩＰアドレスが一致する第２の外部通信端末３ｂの端末Ｉ／Ｆ３６ｂを経由して端末制御部３５ｂで受信される。
【００９９】
第２の外部通信端末３ｂの端末制御部３５ａは、監視カメラ４から第２の居室親機２ｂを経由して送信されてきたカメラ映像データを受信すると、受信したカメラ映像データについて端末アプリ３４ｂで所定のデータ処理、例えば、信号増幅やＦＭ復調を行いった後、図４（Ｂ）で「３１ｂ−（２）」で示すように、端末表示部３１ｂの画面上に、監視モニタ中である旨の文字メッセージとともに表示させることができる。
【０１００】
次に、前述のような監視モニタ表示を確認することができる在室者及び外出者のうち、監視対象者との間で通話を行うために最先に所定の応答操作を行った人物として、ここでは、在室者が第２の居室親機２ｂの親機操作部２０ｂを使用して所定の応答操作を行う、例えば、図４（Ａ）で「２１ｂ−（２）」に示す親機表示部２１ｂの画面上の通話ボタンを操作すると、この操作を検出した親機制御部２５ｂは、親機アプリ２４ｂを経由して親機通話部２２ｂのマイク（ＭＩＣ）及びスピーカ（ＳＰ）を用いた通話機能を能動とするとともに、親機表示部２１ｂの表示内容として、監視モニタ中である旨の文字メッセージを、図４（Ａ）で「２１ｂ−（３）」に示すように、その監視モニタ中である監視カメラ４と自親機２ｂの間で２者通話中である旨の文字メッセージに切換えることができる。また、親機制御部２５ｂは、監視カメラ４の通話機能を能動とするためのカメラ通話用親機送信データと、第２の外部通信端末３ｂを監視モニタ中から待受状態に復旧させるための端末復旧用親機送信データとをそれぞれ生成する。ここで、親機制御部２５ｂで生成されたカメラ通話用親機送信データは、前述のカメラ撮像用親機送信データと同一のデータ伝送路を経由して監視カメラ４のカメラ制御部４３に送信される。一方、親機制御部２５ｂで生成された端末復旧用親機送信データは、前述の端末撮像用親機送信データと同一のデータ伝送路を経由して第２の外部通信端末３ｂの端末制御部３５ｂに送信される。
【０１０１】
監視カメラ４のカメラ制御部４３は、第２の居室親機２ｂからのカメラ通話用親機送信データを受信すると、カメラアプリ４２を経由しカメラ通話部４１のマイク（ＭＩＣ）及びスピーカ（ＳＰ）を用いた通話機能を能動とすることができる。ここまでの制御により、監視対象者により用いられるカメラ通話部４１のマイク（ＭＩＣ）及びスピーカ（ＳＰ）と、カメラ制御部４３、当該カメラ制御部に接続されたカメラアプリ４２、カメラ制御部４３、カメラＩ／Ｆ４４、カメラ／親機ラインＬ2、第２の居室親機２ｂのカメラ側親機Ｉ／Ｆ２８ｂ、親機制御部２５ｂ、当該親機制御部に接続された親機アプリ２４ｂ、親機制御部２５ｂを経由して、在室者により用いられる親機通話部２２ｂのマイク（ＭＩＣ）及びスピーカ（ＳＰ）との間のデータ伝送路が形成され、このデータ伝送路を経由して音声（送話音声、受話音声）データを送受信することで、監視対象者及び在室者による２者通話が成立する。
【０１０２】
一方、第２の外部通信端末３ｂの端末制御部３５ｂは、第２の居室親機２ｂからの端末復旧用親機送信データを受信すると、監視カメラ４からの監視モニタ中が待受状態に復旧し、端末表示部３１ｂへの画面表示も消画となる。
【０１０３】
次に、前述のような監視対象者及び在室者による２者通話が成立しているとき、この在室者が監視対象者のみならず外出者との間で３者通話を成立させるために、図４（Ａ）で「２１ｂ−（３）」で示す第２の居室親機２ｂの親機表示部２１ｂの画面上の３者通話ボタンを親機操作部３０ｂを用いて操作すると、この操作を検出した親機制御部２５ｂは、第２の外部通信端末３ｂを３者通話中とするための端末３者通話用親機送信データを生成するとともに、親機アプリ２４ｂを経由して親機通話部２２ｂのマイク（ＭＩＣ）及びスピーカ（ＳＰ）を用いた通話機能を能動のまま保持し、監視カメラ４からのカメラ映像データの受信動作を継続させた状態で親機撮像部２３ｂにおいて在室者の映像（住戸内の映像を含む）の撮像を開始させることで親機映像データを生成する。また、親機制御部２５ｂは、親機撮像部２３ｂで生成された親機映像データについて親機アプリ２４ｂで所定のデータ処理、例えば、ＦＭ変調や信号増幅を行った後、この親機映像データ及び監視カメラ４からのカメラ映像データと端末３者通話用親機送信データについて、前述の端末撮像用親機送信データと同一のデータ伝送路を経由して第２の外部通信端末３ｂの端末制御部３５ｂに送信する。
【０１０４】
第２の外部通信端末３ｂの端末制御部３５ｂは、第２の居室親機２ｂからの端末３者通話用親機送信データを受信すると、同様に受信したカメラ映像データ及び親機映像データについて親機アプリ３４ｂで所定のデータ処理、例えば、信号増幅やＦＭ復調を行った後、図４（Ｂ）で「３１ｂ−（３）」に示すように、端末表示部３１ｂの画面上に並べて２種の当該映像データを同一のタイミングで表示させるべくフォーマット処理を行うことができるばかりでなく、この画面上には、監視カメラ４、第２の居室親機２ｂ及び自端末３ｂの機器相互で３者通話中である旨の文字メッセージが表示される。
【０１０５】
また、第２の外部通信端末３ｂの端末制御部３５ｂは、端末アプリ３４ｂを経由して端末通話部３２ｂのマイク（ＭＩＣ）及びスピーカ（ＳＰ）を用いた通話機能を能動とするばかりでなく、端末撮像部３３ｂの動作を開始させ、この端末撮像部３３ｂで生成された外出者の映像（外出先の映像を含む）の端末映像データについて端末アプリ３４ｂで所定のデータ処理、例えば、ＦＭ変調や信号増幅を行った後、第２の居室親機２ｂを２者通話から３者通話に切換えるための親機３者通話用端末送信データとともに、前述のカメラ／親機撮像用端末送信データと同一のデータ伝送路を経由して第２の居室親機２ｂの親機制御部２５ｂに送信する。
【０１０６】
第２の居室親機２ｂの親機制御部２５ｂは、第２の外部通信端末３ｂからの端末映像データ及び親機３者通話用端末送信データを受信すると、受信した端末映像データと監視カメラ４からのカメラ映像データについて親機アプリ２４ｂで所定のデータ処理、例えば、信号増幅やＦＭ復調を行った後、図４（Ａ）に「２１ｂ−（４）」で示すように、親機表示部２１ｂの画面上に並べて２種の当該映像データを同一のタイミングで表示させるべくフォーマット処理を行うことができるばかりでなく、この画面上に表示される文字メッセージが、監視カメラ４と自親機２ｂの間で２者通話中である旨の文字メッセージから、監視カメラ４、第２の外部通信端末３ｂ及び自親機２ｂの機器相互で３者通話中である旨の文字メッセージに切換えられる。
【０１０７】
次に、前述のようなモニタ・映像表示を確認することができる在室者及び外出者のうち、最先に所定の操作を行った人物として、ここでは、外出者が第２の外部通信端末３ｂの端末操作部３０ｂを用いて所定の応答操作を行う、例えば、図４（Ｂ）で「３１ｂ−（２）」に示す端末表示部３１ｂの画面上の通話ボタンを操作すると、この操作を検出した端末制御部３５ｂは、端末アプリ３４ｂを経由して端末通話部３２ｂのマイク（ＭＩＣ）及びスピーカ（ＳＰ）を用いた通話機能を能動とするとともに、端末表示部３１ｂの表示内容として、監視カメラ４の監視モニタ中である旨の文字メッセージを、図４（Ｂ）で「３１ｂ−（３）」に示すように、この監視モニタを保持した状態で監視カメラ４との間で２者通話中である旨の文字メッセージに切換えることができる。また、端末制御部３５ｂは、監視カメラ４の通話機能を能動とするためのカメラ通話用端末送信データと、第２の居室親機２ｂを監視モニタ中から待受状態に復旧させるための親機復旧用端末送信データとをそれぞれ生成する。ここで、端末制御部３５ｂで生成されたカメラ通話用端末送信データ及び親機復旧用端末データは、前述のカメラ／親機撮像用端末送信データと同一のデータ伝送路を経由して第２の居室親機２ｂの親機制御部２５ｂに送信される。
【０１０８】
第２の居室親機２ｂの親機制御部２５ｂは、第２の外部通信端末３ｂからのカメラ通話用端末送信データを受信すると、このカメラ通話用端末送信データを、前述のカメラ撮像用親機送信データと同一のデータ伝送路を経由して監視カメラ４のカメラ制御部４３に送信（転送）する。また、親機制御部２５ｂは、同様に受信した親機復旧用端末送信データを検出すると、監視カメラ４の監視モニタ中を待受状態に復旧し、監視カメラ４からのカメラ映像データの送信も停止されるため、親機表示部２１ｂへの画像表示も消画となる。
【０１０９】
監視カメラ４のカメラ制御部４３は、第２の外部通信端末３ｂから第２の居室親機２ｂを経由して送信（転送）されてきたカメラ通話用端末送信データを受信すると、カメラアプリ４２を経由してカメラ通話部４１のマイク（ＭＩＣ）及びスピーカ（ＳＰ）を用いた通話機能を能動とすることができる。ここまでの制御により、監視対象者により用いられるカメラ通話部４１のマイク（ＭＩＣ）及びスピーカ（ＳＰ）と、カメラ制御部４３、当該カメラ制御部に接続されたカメラアプリ４２、カメラ制御部４３、カメラＩ／Ｆ４４、カメラ／親機ラインＬ2、第２の居室親機２ｂのカメラ側親機Ｉ／Ｆ２８ｂ、親機制御部２５ｂ、ネットワーク側親機Ｉ／Ｆ２７ｂ、汎用ネットワークＮＴ、第２の外部通信端末３ｂの端末Ｉ／Ｆ３６ｂ、端末制御部３５ｂ、当該端末制御部に接続された端末アプリ３４ｂ、端末制御部３５ｂを経由して、外出者により用いられる端末通話部３２ｂのマイク（ＭＩＣ）及びスピーカ（ＳＰ）との間のデータ伝送路が形成され、このデータ伝送路を経由して音声（送話音声、受話音声）データを送受信することで、監視対象者及び外出者による２者通話が成立する。
【０１１０】
次に、前述のような監視対象者及び外出者による２者通話が成立しているとき、この外出者が監視対象者のみならず在室者との間で３者通話を成立させるために、図４（Ｂ）で「３１ｂ−（４）」に示す第２の外部通信端末３ｂの端末表示部３１ｂの画面上の３者通話ボタンを端末操作部３０ｂを用いて選択（選択操作）すると、この操作を検出した端末制御部３５ｂは、第２の居室親機２ｂを３者通話中とするための親機３者通話用端末送信データを生成するとともに、端末アプリ３４ｂを経由して端末通話部３２ａのマイク（ＭＩＣ）及びスピーカ（ＳＰ）を用いた通話機能を能動のまま保持し、監視カメラ４から第２の居室親機２ｂを経由して送信（転送）されてくる監視映像データの受信動作を継続させた状態で端末撮像部３３ｂにおいて外出者の映像（外出先の映像を含む）の撮像を開始させることで端末映像データを生成する。また、端末制御部３５ｂは、端末撮像部３３ｂで生成された端末映像データについて端末アプリ３４ｂで所定のデータ処理、例えば、ＦＭ変調や信号増幅を行った後、この端末映像データと親機３者通話用端末送信データについて、前述のカメラ／親機撮像用親機送信データと同一のデータ伝送路を経由して第２の居室親機２ｂの親機制御部２５ｂに送信する。
【０１１１】
第２の居室親機２ｂの親機制御部２５ｂは、第２の外部通信端末３ｂからの親機３者通話用親機送信データを受信すると、同様に受信した端末映像データと監視カメラ４からのカメラ映像データについて親機アプリ３４ｂで所定のデータ処理、例えば、信号増幅やＦＭ復調を行った後、図４（Ａ）で「３１ｂ−（４）」に示すように、親機表示部３１ｂの画面上に並べて２種の当該映像データを同時のタイミングで表示させるべくフォーマット処理を行うことができるばかりでなく、この画面上には、監視カメラ４、第２の外部通信端末３ｂ及び自親機２ｂの機器相互で３者通話中である旨の文字メッセージが表示される。
【０１１２】
また、第２の居室親機２ｂの親機制御部２５ｂは、親機アプリ２４ｂを経由して親機通話部２２ｂのマイク（ＭＩＣ）及びスピーカ（ＳＰ）を用いた通話機能を能動とするばかりでなく、親機撮像部２２ｂの動作を開始させ、この親機撮像部２２ｂで生成された在室者の映像（住戸内の映像を含む）の親機映像データについ親機アプリ２４ｂで所定のデータ処理、例えば、ＦＭ変調や信号増幅を行った後、第２の外部通信端末３ｂを２者通話から３者通話に切換えるための端末３者通話用親機送信データと、監視カメラ４からのカメラ映像データとともに、前述の端末撮像用親機送信データと同一のデータ伝送路を経由して第２の外部通信端末３ｂの端末制御部３５ｂに送信する。
【０１１３】
第２の外部通信端末３ｂの端末制御部３５ｂは、第２の居室親機２ｂからのカメラ映像データ、親機映像データ及び端末３者通話用端末送信データを受信すると、受信したカメラ映像データ及び親機映像データについて端末アプリ３４ｂで所定のデータ処理、例えば、信号増幅やＦＭ復調を行った後、図４（Ｂ）で「３１ｂ−（３）」に示すように、端末表示部３１ｂの画面上に並べて２種の当該映像データを同時のタイミングで表示させるべくフォーマット処理を行うことができるばかりでなく、この画面上に表示される文字メッセージが、監視カメラ４と自端末３ｂの間で２者通話中である旨の文字メッセージから、監視カメラ４、第２の居室親機２ｂ及び自端末３ｂの機器相互で３者通話中である旨の文字メッセージに切換えられる。
【０１１４】
すなわち、前述のような３者通話時によれば、監視カメラ４のカメラ通話部４１のマイク（ＭＩＣ）を用いた監視対象者によるカメラ音声（送話音声）データは、カメラ制御部４３からこの制御部４３に接続されたカメラアプリ４２で所定のデータ処理、例えば、ＦＭ変調や信号増幅がなされた後、カメラ制御部４３、カメラＩ／Ｆ４４、カメラ／親機ラインＬ2、第２の居室親機２ｂのカメラ側親機Ｉ／Ｆ２８ｂを経由して親機制御部２５ｂに送信されることで、親機アプリ２４ｂで所定のデータ処理、例えば、信号増幅やＦＭ復調がなされた後、親機通話部２２ｂのスピーカ（ＳＰ）から出力されるばかりでなく、前述の親機制御部２５ｂからネットワーク側親機Ｉ／Ｆ２７ｂ、汎用ネットワークＮＴ、第２の外部通信端末３ｂの端末Ｉ／Ｆ３６ｂを経由して端末制御部３５ｂに送信されることで、端末アプリ３４ｂで所定のデータ処理、例えば、信号増幅やＦＭ復調がなされた後、端末通話部３２ｂのスピーカ（ＳＰ）から出力される。
【０１１５】
また、第２の居室親機２ｂの親機通話部２２ｂのマイク（ＭＩＣ）を用いた在室者による親機音声（送話音声）データは、親機制御部２５ｂからこの制御部２５ｂに接続された親機アプリ２４ｂで所定のデータ処理、ＦＭ変調や信号増幅がなされた後、親機制御部２５ｂ、カメラ側親機Ｉ／Ｆ２８ｂ、カメラ／親機ラインＬ2、監視カメラ４のカメラＩ／Ｆ４４を経由してカメラ制御部４３に送信されることで、カメラアプリ４２で所定のデータ処理、例えば、信号増幅やＦＭ復調がなされた後、カメラ制御部４３を経由してカメラ通話部４１のスピーカ（ＳＰ）から出力されるばかりでなく、前述の親機制御部２５ｂからネットワーク側親機Ｉ／Ｆ２７ｂ、汎用ネットワークＮＴ、第２の外部通信端末３ｂの端末Ｉ／Ｆ３６ｂを経由して端末制御部３５ｂに送信されることで、端末アプリ３４ｂで所定のデータ処理、例えば、信号増幅やＦＭ復調がなされた後、端末制御部３５ｂを経由して端末通話部３２ｂのスピーカ（ＳＰ）から出力される。
【０１１６】
さらに、第２の外部通信端末３ｂの端末通話部３２ｂのマイク（ＭＩＣ）を用いた外出者による端末音声（送話音声）データは、端末制御部３ｂａからこの制御部３５ｂに接続された端末アプリ３４ｂで所定のデータ処理、例えば、ＦＭ変調や信号増幅がなされた後、端末制御部３５ｂ、端末Ｉ／Ｆ３６ｂ、汎用ネットワークＮＴ、第２の居室親機２ｂのネットワーク側親機Ｉ／Ｆ２７ｂを経由して親機制御部２５ｂに送信され、親機アプリ２４ｂで所定のデータ処理、例えば、信号増幅やＦＭ復調がなされた後、親機制御部２５ｂを経由して親機通話部２２ｂのスピーカ（ＳＰ）から出力されるばかりでなく、前述の親機制御部２５ｂからカメラ側親機Ｉ／Ｆ２８ｂ、カメラ／親機ラインＬ2、監視カメラ４のカメラＩ／Ｆ４４を経由してカメラ制御部４３に送信されることで、カメラアプリ４２で所定のデータ処理、例えば、信号増幅やＦＭ復調がなされた後、カメラ通話部４１のスピーカ（ＳＰ）から出力される。
【０１１７】
次に、前述のような３者通話が成立しているとき、すなわち、図４（Ａ）で「２１ｂ−（４）」に示すように、第２の居室親機２ｂの親機表示部２１ｂにカメラ映像データ及び端末映像データが３者通話中である旨の文字メッセージとともに表示されているばかりでなく、図４（Ｂ）で「３１ｂ−（３）」に示すように、第２の外部通話端末３ｂの端末表示部３１ｂにカメラ映像データ及び親機映像データが３者通話中である旨の文字メッセージとともに表示されているとき、外出者が監視対象者及び在室者のうち例えば、在室者との間の通話を優先すべく、この在室者により用いられている第２の居室親機２ｂを選択するように端末操作部３０ｂで所定の操作、例えば、該当する親機映像データを（タッチ操作で）選択して２者通話ボタンを操作すると、この操作を検出した端末制御部３５ｂは、端末アプリ３４ｂを制御し、前述のように３者通話時において監視カメラ４から第２の居室親機２ｂを経由して送信（転送）されてきたカメラ音声データの音圧レベルを抑圧、例えば、０Ｖにする一方、同様に第２の居室親機２ｂから送信されてきた親機音声データの音圧レベルについては、受信した音圧レベルのまま保持する。この制御により、端末通話部３２ｂのスピーカ（ＳＰ）からの出力音声として、カメラ音声データを抑圧、例えば、０Ｖに抑圧でき、その効果として親機送信データが強調されることになる。
【０１１８】
また、第２の外部通信端末３ｂの端末制御部３５ｂによれば、前述の操作を検出すると、３者通話の対象とされる監視カメラ４及び第２の居室親機２ｂのうち、監視カメラ４のカメラ通話部４１のスピーカ（ＳＰ）から出力される親機音声データ及び端末音声データの音圧レベルと、第２の居室親機２ｂの親機通話部２２ｂのスピーカ（ＳＰ）から出力されるカメラ音声データ及び端末音声データの音圧レベルと、をそれぞれ抑圧するためカメラ／親機音圧制御用端末送信データを生成し、前述のカメラ／親機撮像用端末送信データと同一のデータ伝送路を経由して、監視カメラ４のカメラ制御部４３及び第２の居室親機２ｂの親機制御部２５ｂにそれぞれ送信する。
【０１１９】
監視カメラ４のカメラ制御部４３は、第２の外部通信端末３ｂから第２の居室親機２ｂを経由して送信（転送）されてきたカメラ／親機音圧制御用端末送信データを受信すると、カメラ４２への制御により、カメラ通話部４１のスピーカ（ＳＰ）から出力させる親機音声データ及び端末音声データの音圧レベルを抑圧、例えば、０Ｖにすることができる。一方、第２の居室親機２ｂの親機制御部２５ｂは、第２の外部通信端末３ｂから送信されてきたカメラ／親機音圧制御用端末送信データを受信すると、親機アプリ２４ｂへの制御により、親機通話部２２ｂのスピーカ（ＳＰ）から出力させるカメラ音声データ及び端末音声データの音圧レベルを抑圧、例えば、０Ｖに抑圧することができる。
【０１２０】
なお、外出者によれば、前述と異なり監視対象者及び在室者のうち例えば、監視対象者との間の通話を優先すべく、この監視対象者により用いられている監視カメラ４を選択するためには、第２の外部通信端末３ｂの端末操作部３０ｂで所定の操作、例えば、該当するカメラ映像データを（タッチ操作で）選択して２者通話ボタンを操作することで実行できる。この操作が行われると、前述と同様な各種制御により、端末通話部３２ｂのスピーカ（ＳＰ）からの出力音声として、親機音声データの音圧レベルを抑圧、例えば、０Ｖに抑圧でき、その効果としてカメラ送信データが強調されることになる。
【０１２１】
また、前述のような３者通話が成立しているとき、図４（Ａ）に「２１ｂ−（４）」で示すように、第２の居室親機２ｂの親機表示部２１ｂに表示されている２者通話ボタンを、親機操作部２０ｂを用いて在室者が選択（選択操作）すると、この操作を検出した親機制御部２５ｂは、前述のような３者通話から監視カメラ４との間の２者通話に切換えるばかりでなく、親機表示部２１ｂへの画面表示を同図の「２１ｂ−（３）」に切換えることができる。
【０１２２】
さらに、同様な３者通話が成立しているとき、図４（Ｂ）に「３１ｂ−（３）」で示すように、第２の外部通信端末３ｂの端末表示部３１ｂに表示されている２者通話ボタンを、外出者が端末操作部３０ｂを用いて選択（選択操作）すると、この操作を検出した端末制御部３５ｂは、前述のような３者通話から監視カメラ４との間の２者通話に切換えるばかりでなく、端末表示部３１ｂへの画面表示を同図の「３１ｂ−（４）」に切換えることができる。
【０１２３】
なお、第２の実施例において成立されている２者通話又は３者通話を終了（終話）し、待受状態に復旧させる動作については、２者通話又は３者通話が可能な各種インターホンシステムにおける該当動作と同一であるため、その説明は省略するものとする。
【０１２４】
また、第２の実施例によれば、その具体的なデータ送受信の流れとして、監視カメラ４のカメラＩ／Ｆ４４を、カメラ／親機ラインＬ2を経由して第２の居室親機１ｂのカメラ側親機Ｉ／Ｆ２８ｂに接続し、これらＩ／Ｆ４４、２８ｂ間で各種データを送受信することで、第２の居室親機２ｂ及びこれに接続される汎用ネットワークＮＴを経由して監視カメラ４と第２の外部通信端末３ｂとの間のデータ伝送路を形成したが、この態様に限定されるものではない。例えば、監視カメラ４のカメラアプリ４２に、第２の外部通信端末３ｂを指定／選択するための例えば、ＩＰアドレスを登録しておき、このＩＰアドレスをもとに図３に破線で示すように、カメラＩ／Ｆ４４と汎用ネットワークＮＴを経由して端末Ｉ／Ｆ３６ｂとの間のデータ伝送路を形成することもできる。
【０１２５】
また、第２の実施例によれば、住戸内に設置され通話機能を有する機器として第２の居室親機２ｂａを適用したが、この態様に限定されるものではない。例えば、汎用ネットワークＮＴとの接続機能が不備とされる以外、第２の居室親機２ｂと同様な構成の増設親機を当該居室親機に接続させて設けてもよく、さらに、監視カメラ４、居室親機２ｂ（、増設親機）及び外部通信端末３ｂは、同実施例に示すような１台ずつに限定されるものではなく、より複数台を適用することもでき、複数台の機器を用いた複数通話が可能となる。
【０１２６】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【０１２７】
具体的に、本発明の第１、第２の実施例においては、住戸外で通話機能を有する機器として、図１に示す玄関子機１、図３に示す監視カメラ４のように、各実施例で個別の機器を適用したが、この態様に限定されるものではない。例えば、何れの実施例においても、同図に破線で示すように、玄関子機１及び監視カメラ４の双方を備えることもできる。この態様によれば、複数通話の対象となる機器が増加することになる。
【符号の説明】
【０１２８】
１……玄関子機
１１……子機通話部
１２……子機撮像部
１３……子機アプリケーション（子機アプリ）
２ａ、２ｂ……第１、第２の居室親機
２２ａ、２２ｂ……親機通話部
２３ａ、２３ｂ……親機撮像部
２４ａ、２４ｂ……親機アプリケーション（親機アプリ）
３ａ、３ｂ……第１、第２の外部通信端末
３１ａ、３１ｂ……端末表示部
３２ａ、３２ｂ……端末通話部
３４ａ、３４ｂ……端末アプリケーション（端末アプリ）
４……監視カメラ
４０……カメラ撮像部
４１……カメラ通話部
４２……カメラアプリケーション（カメラアプリ）
【図１】
2015171056.tif 000003
【図２】
2015171056.tif 000004
【図３】
2015171056.tif 000005
【図４】
2015171056.tif 000006